(57)【要約】【課題】着用して普段どおりの生活をしているだけで身体のゆがみを軽減させ、疲労を和らげることが可能な上半身衣類を提供すること。【解決手段】本体生地より緊締力の強い帯状部４Ａ，４Ｂ，５Ａ，５Ｂ，６Ａ，６Ｂが複数形成されたゆがみ軽減部７を設け、このゆがみ軽減部７は、少なくとも３本の帯状部が同一方向に傾斜して配列された一対の帯状部セット８，９を備え、当該一対の帯状部セットは、左右対称に配置されると共に、互いに交差して配置されている。また、複数の帯状部によって囲繞された少なくとも２つの囲繞部１０，１１を有する構成とする。このようなゆがみ軽減部を備える構成とすることで、着用者の脊柱および筋の活動バランスを改善させる。その結果、着用者のからだのゆがみが矯正され、着用者の背中部分の筋の硬さの左右差が小さくなる。【選択図】図１
2010053472.tif 000002
【特許請求の範囲】
【請求項１】
着用者の上半身を覆う本体生地を備えた上半身衣類において、
前記着用者の背面の上部側を覆う前記本体生地には、前記本体生地より緊締力の強い帯状部が複数形成され、前記着用者のゆがみを軽減可能なゆがみ軽減部が設けられており、
前記ゆがみ軽減部は、同一方向に傾斜して配列された少なくとも３本の前記帯状部を有する一対の帯状部セットを備え、
前記一対の帯状部セットは、左右対称に配置されると共に互いに交差して配置され、前記複数の帯状部によって囲繞された少なくとも２つの囲繞部を形成することを特徴とする上半身衣類。
【請求項２】
前記ゆがみ軽減部は、前記着用者の第７、第８胸椎に対応する位置に設けられ、
前記囲繞部の形状は、ひし形に形成されていることを特徴とする請求項１記載の上半身衣類。
【請求項３】
前記ゆがみ軽減部は、下方に行くほど幅が狭くなるように形成されていることを特徴とする請求項１又は２記載の上半身衣類。
【請求項４】
少なくとも一対の前記帯状部は、前記着用者の左右の肩に対応する位置から、それぞれ斜め下方に延在していることを特徴とする請求項１〜３の何れか一項に記載の上半身衣類。
【請求項５】
前記着用者の背面の下部側を覆う前記本体生地には、前記着用者の第４、第５腰椎に対応する位置を頂点とし、側方へ斜め下方に延在する一対の前記帯状部が更に形成されていることを特徴とする請求項１〜４の何れか一項に記載の上半身衣類。
【発明の詳細な説明】
【技術分野】
【０００１】
本発明は、着用者の上半身を覆う本体生地を備えた上半身衣類に関する。
【背景技術】
【０００２】
従来、このような分野の技術として、特開２００４−２６３３６２号公報がある。この公報に記載された上半身衣類は、全体として伸縮性を有する素材によって成形され、少なくとも着用者の背中に相当する領域には、締め付け力の強い強圧領域が帯状に形成されている。これにより、着用者が胸をはり、背筋を伸ばした姿勢を保ち易くさせることで、着用者の正しい運動を支援するものである。
【特許文献１】特開２００４−２６３３６２号公報
【発明の開示】
【発明が解決しようとする課題】
【０００３】
しかしながら、上記特許文献１に記載の従来技術は、着用者が胸を張って、背筋を伸ばした姿勢となるように強い締め付け力を付与するものであり、日常的に継続して着用する場合に、着用者に違和感を与えてしまうという問題があった。
【０００４】
一般的に体のゆがみが無い人は皆無である。「名医のわかりやすい  姿勢の矯正」（丹羽昇著、同文書院）によれば、体のゆがみが左右非対称の姿勢・動作を引き起こし、左右非対称の姿勢・動作が脊柱・筋の活動バランスを崩し、疲れ・こりを発生させ、脊柱・筋の活動バランスの崩れが体のゆがみにつながるサイクルに陥りやすいと言われている。これを防ぐには、ゆっくり入浴して疲れを十分に取ったり、ストレッチ運動を行なうことが望ましいが、時間がかかったり、手間になるため、普段どおりの生活を維持しながら、手軽に身体の疲れ・こりを予防することが望まれている。
【０００５】
本発明は、上記課題の解決のためになされたものであり、着用して普段どおりの生活をしているだけで身体のゆがみを軽減させ、疲労を和らげることが可能な上半身衣類を提供することを目的とする。
【課題を解決するための手段】
【０００６】
本発明による上半身衣類は、着用者の上半身を覆う本体生地を備えた上半身衣類において、着用者の背面の上部側を覆う本体生地には、本体生地より緊締力の強い帯状部が複数形成され、着用者のゆがみを軽減可能なゆがみ軽減部が設けられており、ゆがみ軽減部は、同一方向に傾斜して配列された少なくとも３本の帯状部を有する一対の帯状部セットを備え、一対の帯状部セットは、左右対称に配置されると共に互いに交差して配置され、複数の帯状部によって囲繞された少なくとも２つの囲繞部を形成することを特徴としている。
【０００７】
このような上半身衣類は、本体生地より緊締力の強い帯状部が複数形成されたゆがみ軽減部を有している。このゆがみ軽減部は、少なくとも３本の帯状部が同一方向に傾斜して配列された一対の帯状部セットを備え、当該一対の帯状部セットは、左右対称に配置されると共に、互いに交差して配置され、複数の帯状部によって囲繞された少なくとも２つの囲繞部が形成されている。上半身衣類は、このように構成されたゆがみ軽減部を備える構成であるため、着用者の脊柱および筋の活動バランスを改善することができる。これにより、着用者のからだのゆがみが矯正され、着用者の背中部分の筋の硬さの左右差が小さくなる。また、本発明の上半身衣類の緊締力の強い帯状部の配置は、着用者が胸を張って、背筋を伸ばした姿勢となるように強い締め付け力を付与するものはないため、日常的に継続して着用すること可能な上半身衣類を実現することができる。
【０００８】
ここで、ゆがみ軽減部は、着用者の第７、第８胸椎に対応する位置に設けられ、囲繞部の形状は、ひし形に形成されている構成が挙げられる。
【０００９】
また、ゆがみ軽減部は、下方に行くほど幅が狭くなるように形成されていることが好適である。
【００１０】
また、少なくとも一対の帯状部は、着用者の左右の肩に対応する位置から、それぞれ斜め下方に延在していることが好適である。
【００１１】
また、着用者の背面の下部側を覆う本体生地には、着用者の第４、第５腰椎に対応する位置を頂点とし、側方へ斜め下方に延在する一対の前記帯状部が更に形成されていることが好ましい。これにより、上部からの重力を分散させて、支持することができる。
【発明の効果】
【００１２】
本発明の上半身衣類によれば、着用して、普段どおりの生活をしているだけで、着用者の背中の筋肉群が左右対称の動きに近づくようにサポートされるため、着用者の体のゆがみが軽減され、疲労を和らげることができる。
【発明を実施するための最良の形態】
【００１３】
以下、本発明による上半身衣類の好適な実施形態について図面を参照しながら説明する。なお、図面の説明において同一または相当要素には同一の符号を付し、重複する説明は省略する。図１は、本発明の実施形態に係る上半身衣類を示す背面図である。
【００１４】
図１に示すように上半身衣類１は、日常生活において、肌に直接つけて着用される肌着（例えばノースリーブ）として利用されるものである。この上半身衣類１は、着用者の上半身を覆うシャツ本体２を有し、このシャツ本体２は、上半身の正面側を覆う前身頃（不図示）と、上半身の背面側を覆う後身頃３とを備えている。
【００１５】
シャツ本体２の上部中央には、着用者の頭部を露出させる開口部である首ぐり部２ａが形成され、シャツ本体２の左右両側の上部には、着用者の左右両腕を露出させる開口部である袖ぐり部２ｂが形成されている。前身頃及び後身頃３は、首ぐり部２ａ及び袖ぐり部２ｂが形成されていない上端部及び側端部が各々縫合されて、シャツ本体２を構成している。
【００１６】
後身頃３は、背面視において、首ぐり部２ａおよび袖ぐり部２ｂを形成する部分が、内側へ湾曲している。また、後身頃３の側端部は、背面視において、内側へ緩やかにくぼむように形成されている。
【００１７】
ここで、本実施形態の上半身衣類１では、後身頃３の本体生地の外表面に、当該本体生地より緊締力の強い複数の帯状部４Ａ，４Ｂ，５Ａ，５Ｂ，６Ａ，６Ｂを有する脊柱パンタグラフ構造（ゆがみ軽減部）７が設けられている。
【００１８】
図２は、図１中の脊柱パンタグラフ構造を拡大して示す背面図である。図２では、上半身衣類１の左右方向の中央で、上下方向に延在する中心線Ｏを１点鎖線で示し、中心線Ｏ上の点Ｐ０を基点として、上側が外側へ傾斜してＶ字状を成す仮想線Ｌ１，Ｌ２を２点鎖線で示している。
【００１９】
図２に示すように、脊柱パンタグラフ構造７は、同一方向に傾斜して配列された少なくとも３本の帯状部「４Ａ，５Ａ，６Ａ」，「４Ｂ，５Ｂ，６Ｂ」を有する一対の帯状部セット８，９を備えている。例えば、帯状部セット８を構成する３本の帯状部「４Ａ，５Ａ，６Ａ」は、仮想線Ｌ２と直交する方向に延在し、帯状部セット９を構成する３本の帯状部「４Ａ，５Ａ，６Ａ」は、仮想線Ｌ１と直交する方向に延在している。また、帯状部４Ａ，４Ｂ，５Ａ，５Ｂ，６Ａ，６Ｂの端部形状は、２本の仮想線内に収まるように、カットされている。また、この脊柱パンタグラフ構造７は、着用者の第７、第８胸椎に対応する位置に配置されている。
【００２０】
帯状部セット８は、上段に配置された帯状部４Ａ（以下、「第１帯状部」ともいう。）と、中段に配置された帯状部５Ａ（以下、「第２帯状部」ともいう。）と、下段に配置された帯状部６Ａ（以下、「第３帯状部」ともいう。）と、を有している。これらの帯状部４Ａ，５Ａ，６Ａは、所定の間隔を有して配置されている。「所定の間隔」は、帯状部４Ａ，５Ａ，６Ａの幅程度としてもよい。また、第１帯状部４Ａは、左肩部（後身頃３の左上端）から、右側下方へ傾斜するように延在している。帯状部４Ａ，５Ａ，６Ａの長さは、上段から下段へ順に短くなっている。
【００２１】
帯状部セット９は、上段に配置された帯状部４Ｂ（以下、「第１帯状部」ともいう。）と、中段に配置された帯状部５Ｂ（以下、「第２帯状部」ともいう。）と、下段に配置された帯状部６Ｂ（以下、「第３帯状部」ともいう。）と、を有している。これらの帯状部４Ｂ，５Ｂ，６Ｂは、所定の間隔を有して配置されている。「所定の間隔」は、帯状部４Ｂ，５Ｂ，６Ｂの幅程度としてもよい。また、第１帯状部４Ｂは、右肩部（後身頃３の右上端）から、左側下方へ傾斜するように延在している。帯状部４Ｂ，５Ｂ，６Ｂの長さは、上段から下段へ順に短くなっている。
【００２２】
そして、一対の帯状部セット８，９は、左右対称に配置され、第１帯状部４Ａ，４Ｂ同士が中央で交差し、第２帯状部５Ａ，５Ｂ同士が中央で交差し、第３帯状部６Ａ，６Ｂ同士が中央で交差している。さらに、第１帯状部４Ａ及び第２帯状部５Ｂの右端部同士が同じ位置に形成され、第２帯状部５Ｂ及び第３帯状部６Ａの左端部同士が同じ位置に形成され、第１帯状部４Ｂ及び第２帯状部５Ａの左端部同士が同じ位置に形成され、第２帯状部５Ａ及び第３帯状部６Ｂの右端部同士が同じ位置に形成されている。なお、帯状部の端部同士は、同じ位置に形成されていなくてもよい。例えば、端部側で交差するように形成されていてもよい。
【００２３】
そして、脊柱パンタグラフ構造７には、第１帯状部４Ａ，４Ｂ及び第２帯状部５Ａ，５Ｂによって囲繞されたひし形の囲繞部１０、第２帯状部５Ａ，５Ｂ及び第３帯状部６Ａ，６Ｂによって囲繞されたひし形の囲繞部１１が形成されている。本実施形態では、下段の囲繞部１１の面積は、上段の囲繞部１０の面積より大きくなっている。また、下段の囲繞部１１の面積と、上段の囲繞部１０の面積は等しくても、上段の囲繞部１０の面積が下段の囲繞部１１の面積より大きくても良い。また、囲繞部１０，１１は、角部が丸みをおびたひし形状でもよく、その他の形状でもよい。
【００２４】
また、後身頃３の本体生地として、綿、ポリウレタンから構成されるベア天竺素材を用いることができ、本体生地より緊締力の強い帯状部４Ａ，４Ｂ，５Ａ，５Ｂ，６Ａ，６Ｂとして、ナイロン、ポリウレタン（例えば４７０ｄｔｅｘ）から構成されるサテンネット（例えば幅３ｃｍ）を用いることができる。そして、帯状部４Ａ，４Ｂ，５Ａ，５Ｂ，６Ａ，６Ｂは、後身頃３の本体生地に縫い付けられている。なお、帯状部の本体生地への取り付けは、その他の取り付け方法でもよく、例えば、接着剤を用いた接着、圧力を付与することで取り付けを行なう圧着、加熱することで取り付けを行なう熱融着でもよく、これらの方法を組み合わせて、取り付けてもよい。
【００２５】
また、帯状部４Ａ，４Ｂ，５Ａ，５Ｂ，６Ａ，６Ｂを取り付ける順序としては、例えば、最初に、第３帯状部６Ｂ、続いて、第３帯状部６Ａ、第２帯状部５Ｂ、第２帯状部５Ａ、第１帯状部４Ｂ、第１帯状部４Ａを順に取り付けることが挙げられる。
【００２６】
また、本実施形態の上半身衣類１では、後身頃３の本体生地には、脊柱パンタグラフ構造のほかに、当該本体生地より緊締力の強い複数の帯状部１２Ａ，１２Ｂ，１３Ａ，１３Ｂを有する重力分散構造１４が設けられている。
【００２７】
重力分散構造１４は、着用者の第４、第５腰椎に対応する位置を頂点として、逆Ｖ字状（山型）を成すように、側方へ斜め下方に延在する一対の帯状部「１２Ａ，１２Ｂ」、「１３Ａ，１３Ｂ」を備えている。また、上段に配置された一対の帯状部１２Ａ，１２Ｂは、中心線Ｏ上の頂点から、後身頃３の下部側の側端まで延在し、下段に配置された一対の帯状部１３Ａ，１３Ｂは、中心線Ｏ上の頂点から、後身頃３の側部側の下端まで延在している。
【００２８】
このように構成された上半身衣類１では、後身頃３の本体生地より緊締力の強い複数の帯状部４Ａ，４Ｂ，５Ａ，５Ｂ，６Ａ，６Ｂを備えた脊柱パンタグラフ構造７が形成され、３本の帯状部が同一方向に傾斜して配列された一対の帯状部セット８，９が、左右対称に配置されると共に、互いに交差して配置され、複数の帯状部４Ａ，４Ｂ，５Ａ，５Ｂ，６Ａ，６Ｂによって囲繞されたひし形の囲繞部１０，１１が複数形成されている。上半身衣類１は、このような脊柱パンタグラフ構造７を備える構成であるため、着用者の背骨の動きに追随し、体幹の中心に戻すように引張ることで背中の筋の左右バランスを整えることができる。これにより、着用者のからだのゆがみが矯正され、着用者の背中部分の筋の硬さの左右差が小さくなる。また、本発明の上半身衣類１の緊締力の強い帯状部４Ａ，４Ｂ，５Ａ，５Ｂ，６Ａ，６Ｂの配置は、着用者が胸を張って、背筋を伸ばした姿勢となるように強い締め付け力を付与するものではないため、日常的に継続して着用すること可能な上半身衣類を実現することができる。
【００２９】
また、上半身衣類１は、後身頃３の本体生地より緊締力の強い複数の帯状部１２Ａ，１２Ｂ，１３Ａ，１３Ｂが逆Ｖ字状に配置された重力分散構造１４を備える構成であるため、着用者の腰部の脊柱を覆うようにサポートし、上方からの負荷、重力を分散させることができる。
【００３０】
また、上半身衣類１は、脊柱パンタグラフ構造７及び重力分散構造１４を備える構成であるため、着用者の腰を安定的にサポートして固定し、上半身の左右対称の動きを一層促すことができる。
【００３１】
以上、本発明をその実施形態に基づき具体的に説明したが、本発明は、上記実施形態に限定されるものではない。上半身衣類１は、例えばノースリーブでも良く、半袖、長袖など、肩部を有する形状であればよく、袖の長さは限定されない。
【００３２】
また、上半身衣類１は、パンタグラフ構造７及び重力分散構造１４を備える構造とされているが、重力分散構造１４を備えていない上半身衣類でもよい。また、重力分散構造の山型に配置される帯状部は、１本でもよく、３本以上でもよい。
【００３３】
また、帯状部（緊締部）の本体生地への取り付け方法は、縫着でも良く、貼り付けでもよい。また、帯状部は、本体生地に接ぎ合わされて、形成されていてもよい。また、編み方を変更して、緊締力の強い帯状部を設けたり、ウレタン樹脂を塗布（プリント等）したり、オパール加工することによって帯状部と本体部とを一体的に形成してもよい。
【００３４】
また、側端部あるいは上端部及び側端部を縫合する必要のない編地を用いてシャツ本体２を構成してもよい。
【００３５】
また、上記実施形態では、第１帯状部４Ａ，４Ｂが、左右の肩から斜め下方に延在しているが、例えば、後述する実施例３（図４参照）の上半身衣類２２のように、左右の肩に対応する位置に、帯状部を有していない構成でもよい。
【００３６】
また、上記実施形態では、帯状部の幅は、同一とされているが、異なる幅の帯状部でもよい。また、各帯状部は、別々に形成されているが、１本の帯状部材を折り返すことによって、複数の帯状部を形成してもよい。例えば、第１帯状部４Ａ、第２帯状部５Ｂ、及び第３帯状部６Ａは、１本の帯状部材を折り返すことによって、形成されていてもよい。同様に、第１帯状部４Ｂ、第２帯状部５Ａ、及び第３帯状部６Ｂは、１本の帯状部材を折り返すことによって、形成されていてもよい。
【実施例１】
【００３７】
以下、本発明を実施例により更に詳細に説明するが、本発明はこれらの実施例に限定されるものではない。なお、上記実施形態の上半身衣類１と同一の説明は省略する。
【００３８】
図３は、本発明の実施例に係る上半身衣類の背面図であり、引張試験の試験部位を示す図である。実施例１に係る上半身衣類１では、後身頃３の本体生地として、ベア天竺（繊維組成：綿８９％、ポリウレタン１１％）が使用されている。脊柱パンタグラフ構造７の帯状部生地として、サテンネット（ラッセル編地、繊維組成：ナイロン６７．７％、ポリウレタン３２．４％）が使用されている。重力分散構造１４の帯状部生地として、サテンネット（ラッセル編地、繊維組成：ナイロン８６％、ポリウレタン１４％）が使用されている。
【００３９】
上半身衣類１の任意の試験部位について、伸度が４０％となるまで引き伸ばし、直ちに同じ速度で元の位置まで戻す操作を３回繰り返した。そして、試験部位の伸度が３回目に４０％となったときの引張り力（伸長力）を、それぞれ計測した。
試験方法
試験機：定速伸長型引張試験機
支持：２点に針を貫通させ支持。２点間の距離は、１５ｃｍ
引張速度：３０ｃｍ／ｍｉｎ
初荷重：０ｃＮ
繰り返し回数：３回
伸長後の放置時間：０秒
元の位置まで戻した後の放置時間：０秒
【００４０】
図３では、試験部位Ａ〜Ｆを示し、試験部位Ａは、第１帯状部４Ａ，４Ｂの交点と第３帯状部６Ａ，６Ｂの交点とを結ぶ部位、試験部位Ｂは、第２帯状部５Ｂの長手方向の両端部を結ぶ部位、試験部位Ｃは、重力分散構造１４の２つの頂部を結ぶ部位、試験部位Ｄは、左右方向に離間し、帯状部１２Ａ，１３Ａをまたぐ部位、試験部位Ｅは、中心線Ｏより外側で、脊柱パンタグラフ構造７の下部側と、重力分散構造１４の上部側との間で上下方向に延在する部位、試験部位Ｆは、中心線Ｏより外側で、脊柱パンタグラフ構造７の下部側と、重力分散構造１４の上部側との間で左右方向に延在する部位である。
【００４１】
上記の試験方法で、試験部位Ａ〜Ｆについて、引張試験を実施した結果、試験部位Ａでは４３０ｃＮ、試験部位Ｂでは７５３ｃＮ、試験部位Ｃでは６５４ｃＮ、試験部位Ｄでは４２３ｃＮ、試験部位Ｅでは２１６ｃＮ、試験部位Ｆでは２７３ｃＮであった。
【００４２】
なお、各試験部位の伸長力比は、試験部位Ａは、試験部位Ｅの１．５〜２．５倍、試験部位Ｃは、試験部位Ａの１．０〜２．０倍、試験部位Ｄは、試験部位Ｆの１．０〜２．０倍であることが好適である。
【００４３】
次に、本発明の実施例１〜３に係る上半身衣類１，２１，２２、比較例１に係る上半身衣類２３について、機能検証試験を実施した。図４は、本発明の実施例に係る上半身衣類、及び比較例に係る上半身衣類の背面図である。
【００４４】
図４（Ａ）に示す実施例１は、パンタグラフ構造７及び重力分散構造１４を有する上半身衣類１である。図４（Ｂ）に示す実施例２は、パンタグラフ構造７を有し、重力分散構造１４を有していない上半身衣類２１である。図４（Ｃ）に示す実施例３は、実施例１，２と異なる形状のパンタグラフ構造２７を有し、重力分散構造１４を有していない上半身衣類２２である。実施例３のパンタグラフ構造２７は、第１帯状部４Ａ，４Ｂの互いの交点が上端部となり、第１帯状部４Ａ，４Ｂが左右両肩まで延びていない構成とされている。図４（Ｄ）に示す比較例１は、本体生地のみの（緊締力の強い帯状部を有していない）上半身衣類２３である。
【００４５】
そして、本発明の実施例１〜３に係る上半身衣類１，２１，２２、比較例１に係る上半身衣類２３について、機能検証試験を実施した。計測装置として、ＶＩＣＯＮ社製、光学反射式モーションキャプチャーシステムを用いて、上半身衣類の着用者の歩行時の姿勢を計測する機能検証試験を実施した。この機能検証試験では、上半身衣類の着用者が時速３．８ｋｍで歩行し、着用者の９０秒間の歩行後、計測を開始し、１２秒間の歩行後、計測を終了した。
【００４６】
機能検証試験では、胸骨柄、剣状突起、第７頚椎、第１０胸椎の各近傍に、計測装置によって検出されるマーカーを取り付けて、体節セグメントとし、左前腸骨棘、右前腸骨棘、左後腸骨棘、右後腸骨棘の各近傍にマーカーを取り付けて、骨盤セグメントとした。
【００４７】
そして、体節セグメントと骨盤セグメントとの相対関係から、着用者の体幹を軸として回る動作である回旋の左右角度差Ｚ（基準位置からの左方向への回転角度と、基準位置から右方向への回転角度との差）、着用者の前後屈の最大角度Ｘ、着用者の側屈の範囲Ｙを算出した。回旋の左右角度差Ｚ、前後屈の最大角度Ｘ、側屈の範囲Ｙは、それぞれ０度に近いほど、正しい歩行姿勢であることを示している。なお、上記「セグメント」とは、マーカーが取り付けられた４点の位置に基づく動作単位であり、例えば、マーカーが取り付けられた４点の中点の相関関係に基づいて、回旋の左右角度差Ｚ、前後屈の最大角度Ｘ、側屈の範囲Ｙを算出してもよい。
【００４８】
ここで、着用者の回旋動作については、左右角度差Ｚで評価しているが、側屈動作については、角度差ではなく、動作範囲で評価した。骨格がゆがんでいる着用者の場合、歩行時に左右のどちらかに傾いている状態が標準とみなせるため、側屈動作の範囲（振幅）が小さくなれば、ゆがみが軽減されていると評価することができる。
【００４９】
機能検証試験では、７名の着用者について、本発明に係る上半身衣類（実施例１〜３）を着用した場合と、本体生地のみの（緊締力の強い帯状部を有していない）上半身衣類（比較例１）を着用した場合との比較を行なった。
【００５０】
そして、回旋の左右角度差Ｚ、前後屈の最大角度Ｘ、側屈の範囲Ｙそれぞれについて、実施例１，２の測定結果の絶対値と、比較例１の測定結果の絶対値とを比較して、その差の絶対値の最大値、最小値を除外した５名分の測定データにより評価を行なった。
【００５１】
図５は、機能検証試験における測定結果の絶対値の差を示す図であり、図６は、機能検証試験による評価を示す図である。図５では、絶対値の最大値、最小値を括弧書きによって示している。図５及び図６に示すように、パンタグラフ構造７を有する実施例２では、前後屈の最大角度Ｘ、側屈の範囲Ｙにおいて、歩行姿勢の改善効果が認められた。また、パンタグラフ構造７及び重力分散構造１４を有する実施例１では、回旋の左右角度差Ｚ、前後屈の最大角度Ｘ、側屈の範囲Ｙにおいて、歩行姿勢の改善効果が認められた。さらに、実施例１では、実施例２と比較すると、回旋の左右角度差Ｚ、側屈の範囲Ｙにおいて、効果が認められた人数が増加している。
【００５２】
実施例１では、回旋の左右角度差Ｚ、前後屈の最大角度Ｘ、側屈の範囲Ｙにおいて、５名の有効者の平均値が、それぞれ０．７２度、１．８９度、０．８８度小さくなっており、骨盤位置が一定で、体中心Ｏから肩端までの距離を２０ｃｍ、骨盤から頭頂部までの距離を７０ｃｍと仮定すると、回旋の左右差は、肩端で０．２５ｃｍ左右差が小さくなり、最大前屈は、頭頂部で２．３１ｃｍ小さくなり、側屈の範囲（振れ幅）は、頭頂部で１．０８ｃｍ小さくなることが分かる。
【図面の簡単な説明】
【００５３】
【図１】本発明の実施形態に係る上半身衣類の背面図である。
【図２】図１中の脊柱パンタグラフ構造を拡大して示す背面図である。
【図３】本発明の実施例に係る上半身衣類の背面図であり、引張試験の試験部位を示す図である。
【図４】本発明の実施例に係る上半身衣類、及び比較例に係る上半身衣類の背面図である。
【図５】機能検証試験における測定結果の絶対値の差を示す図である。
【図６】機能検証試験による評価を示す図である。
【符号の説明】
【００５４】
１…上半身衣類、２…シャツ本体、３…後身頃、４Ａ，４Ｂ…第１帯状部（帯状部）、５Ａ，５Ｂ…第２帯状部（帯状部）６Ａ，６Ｂ…第３帯状部（帯状部）、７，２７…パンタグラフ構造（ゆがみ軽減部）、８，９…帯状部セット、１０，１１…囲繞部、１２Ａ，１２Ｂ，１３Ａ，１３Ｂ…帯状部、１４…重力分散構造。
【図１】
2010053472.tif 000003
【図２】
2010053472.tif 000004
【図３】
2010053472.tif 000005
【図４】
2010053472.tif 000006
【図５】
2010053472.tif 000007
【図６】
2010053472.tif 000008